(57)【要約】飲料自動販売装置のための可溶性材料コンテナ（１）は、出口（１５）と、出口（１５）のところに位置付けられ注ぎ口（２０）であり、結合ボディ（２３）及びその結合ボディ（２３）に取り付けられる管状ボディ（３１）によって特徴付けられ、側部注入開口（３４）及び出口開口（３３）を有し、その注入開口（３４）がその出口（１５）に連通する開放位置とその出口（１５）を閉じる閉鎖位置との間をその結合ボディ（２３）に対して移動可能である注ぎ口（２０）とを有する。
2011510730.tif 000002
【特許請求の範囲】
【請求項１】
飲料自動販売装置用の可溶性材料コンテナであって、
出口を有するタンクと、
前記出口のところで前記タンクに取り付けられる注ぎ口と、を有し、
前記注ぎ口は、前記タンクへの接続のための結合ボディと、前記結合ボディに取り付けられる管状ボディであり、注入開口と出口開口とを有し、該注入開口が前記結合ボディを介して前記タンクの前記出口と連通するところの開放材料供給位置まで、また、該開放材料供給位置から、前記結合ボディに対し移動可能である管状ボディと、を有する、
ことを特徴とする可溶性材料コンテナ。
【請求項２】
前記注ぎ口は、前記出口のところで、前記タンクに取り付けられ、前記タンクから突出する、
請求項１に記載のコンテナ。
【請求項３】
前記注入開口は、前記管状ボディの側部に形成された開口である、
請求項１又は２に記載のコンテナ。
【請求項４】
前記出口開口は、前記管状ボディの軸方向端部の開口である、
請求項１乃至３の何れか一項に記載のコンテナ。
【請求項５】
前記出口は、第一軸を有し、
前記管状ボディは、前記第一軸に実質的に垂直な第二軸を有する、
請求項１乃至４の何れか一項に記載のコンテナ。
【請求項６】
前記結合ボディは、前記第一軸の回りを回転するように取り付けられる、
請求項５に記載のコンテナ。
【請求項７】
前記管状ボディは、前記第一軸の周りを、前記結合ボディと共に回転する、
請求項５又は６に記載のコンテナ。
【請求項８】
前記管状ボディは、前記結合ボディに対して軸方向に可動である、
請求項１乃至７の何れか一項に記載のコンテナ。
【請求項９】
前記管状ボディは、前記第二軸に対して角度的に固定される、
請求項５乃至７の何れか一項と請求項８とに記載のコンテナ。
【請求項１０】
前記出口は、第一軸を有し、
前記管状ボディは、第二軸を有し、
前記結合ボディは、前記第二軸と同軸の環状部分を有し、
前記管状ボディは、前記管状部分を通って延びる、
請求項１乃至９の何れか一項に記載のコンテナ。
【請求項１１】
前記注入開口は、前記管状ボディの側部に形成され、
前記管状ボディは、前記注入開口が前記出口と向き合うところの前記開放位置と、前記管状ボディの一部が前記出口を閉じるために前記出口と向き合うところの閉鎖位置との間で可動である、
請求項１乃至１０の何れか一項に記載のコンテナ。
【請求項１２】
前記注ぎ口は、前記開放位置と前記閉鎖位置とにおいて、前記結合ボディに対して前記管状ボディを選択的に固定するために、前記結合ボディと前記管状ボディとの間に配置される解放可能な保持手段を有する、
請求項１１に記載のコンテナ。
【請求項１３】
前記保持手段は、前記結合ボディと一体的である歯と、前記管状ボディに形成される第一座部及び第二座部であり、前記管状ボディが前記開放位置及び前記閉鎖位置のそれぞれにある場合に、前記歯が選択的にカチッと収まる第一座部及び第二座部と、を有する、
請求項１２に記載のコンテナ。
【請求項１４】
前記開放位置において前記結合ボディに対して前記管状ボディを拘束するための停止手段を備える、
請求項１乃至１３の何れか一項に記載のコンテナ。
【請求項１５】
前記出口は、前記タンクから延びる、外部にねじ山が形成される管状付属物によって定められ、
前記結合ボディは、前記管状付属物に取り付けられ、ねじ山が形成されたリングナットを用いて、前記管状付属物に対して軸方向に固定される、
請求項１乃至１４の何れか一項に記載のコンテナ。
【請求項１６】
使用時に、前記タンクからの計量された量の材料を引き出すために前記タンクの内側に収容される供給器を有し、
前記タンクは、第一管状付属物及び第二管状付属物を有し、
前記第一管状付属物は、前記出口を定め、
前記第二管状付属物は、前記第一管状付属物及び前記結合ボディと同軸であり、
前記第一管状付属物及び前記第二管状付属物は、前記供給器を支持する、
請求項１５に記載のコンテナ。
【請求項１７】
前記供給器は、前記第一管状付属物及び前記第二管状付属物によって回転式に支持される電動スクリュを有する、
請求項１６に記載のコンテナ。
【請求項１８】
前記スクリュは、二条ねじによって特徴付けられる、
請求項１７に記載のコンテナ。
【請求項１９】
前記スクリュは、一端で、それ自身の回転駆動手段への結合のためのファストフィット接続手段に一体的に取り付けられる、
請求項１７又は１８に記載のコンテナ。
【発明の詳細な説明】
【技術分野】
【０００１】
本発明は、飲料自動販売装置のための可溶性材料コンテナに関する。
【０００２】
飲料、特に、“インスタント”飲料の自動販売装置において、コンテナ群は、インスタント材料又は砂糖のような可溶性材料を蓄えるために用いられる。各コンテナは、通常、タンクと、そのコンテナに取り付けられる注ぎ口であり、そのタンク内に収容され、計量された量の材料をその注ぎ口に供給するためのモータによって駆動される供給手段に接続される注ぎ口とを有する。
【０００３】
それらコンテナ群は、通常、その装置内に取り付けられ、それらタンク群を充填できるように、また、そのコンテナハウジングを容易に洗浄できるように、操作者によって手動で取り外され且つ置き換えられ得る。
【発明の概要】
【発明が解決しようとする課題】
【０００４】
本発明の目的は、廉価で製造容易であり、同時に、操作者による迅速で容易な充填及び洗浄を可能にする飲料自動販売装置における可溶性材料コンテナを提供することである。
【課題を解決するための手段】
【０００５】
本発明に従って、請求項１に記載の飲料自動販売装置のための可溶性材料コンテナが提供され、好適には、請求項１に直接的に或いは間接的に従属する後続の請求項群の何れか一つに記載の飲料自動販売装置のための可溶性材料コンテナが提供される。
【０００６】
本発明に係る非限定的な実施例は、添付図面を参照しながら一例として説明される。
【図面の簡単な説明】
【０００７】
【図１】明確化のために一部の部品が取り除かれた、一作動構成における、本発明に従ったコンテナの好適な実施例の部分斜視図を示す。
【図２】明確化のために一部の部品が取り除かれた、一作動構成における、本発明に従ったコンテナの好適な実施例の部分斜視図を示す。
【図３】明確化のために一部の部品が取り除かれた、図１の構成にある、図１及び図２のコンテナの軸方向拡大断面図を示す。
【図４】明確化のために一部の部品が取り除かれた、図２の構成にある、図１及び図２のコンテナの軸方向拡大断面図を示す。
【発明を実施するための形態】
【０００８】
添付図面群の番号１は、可溶性粒子材料を収容するためのタンク１ａであり、取り外し可能な蓋２（図４）によってその頂部が閉じられ、下方を向くカップ形状ベース３によってその底部が閉じられるタンク１ａを有するコンテナを全体として示す。ベース３は、コンテナ１を平坦支持部（図示せず。）上で支持するためのスタンドを定める端部４によってその底部が境界され、タンク１ａの底部を定める水平壁５によってその頂部が境界される。
【０００９】
図３及び図４を参照すると、タンク１ａは、実質的に矩形の断面を有し、垂直後壁６と、後壁６に垂直である二つの平行な垂直主要側壁７群と、後壁６に実質的に平行で、充填及びサービス目的のためにコンテナ１を取り扱うための操作者用ハンドグリップ９を有する前壁８とによってその外側が境界される。
【００１０】
カップ形状ベース３は、前壁８の近くで、前壁８及び後壁６に垂直な直線ランナ１１であり、コンテナ１をその平坦支持部（図示せず。）上に正確に位置付けるために、その平坦支持部（図示せず。）上でガイド手段（図示せず。）によってスライド式に係合される直線ランナ１１を定めるために内側に成形された下方に開く空洞１０を定める。
【００１１】
壁５の真上において、前壁８及び後壁６は、それぞれ、外部にねじ山が形成された管状付属物１２及び１３を有し、それら管状付属物１２及び１３は、後壁６に垂直で壁５に平行な水平軸１４に沿って同軸であり、前壁８及び後壁６のそれぞれから外方に突出し、タンク１ａの内部空洞１７と外部とを接続する導管１５及び１６のそれぞれを定める。
【００１２】
タンク１ａに加え、コンテナ１は、計量された量の材料を、使用中に、空洞１７から引き出す供給機１８であり、空洞１７の内側に電動スクリュ１９を有する供給機１８を有する。最後に、コンテナ１は、空洞１７の外側に位置付けられる注ぎ口２０であり、タンク１ａの前壁８に取り付けられ、その前壁８から突出する注ぎ口２０を有する。
【００１３】
スクリュ１９は、軸１４と同軸で、管状付属物１２及び１３に回転式に取り付けられる二条ねじによって特徴付けられる。より具体的には、スクリュ１９は、その前端部において、管状付属物１２の導管１５と回転式に係合し、また、その後端部において、カップ形状ボディ２１であり、軸１４と同軸で、軸方向に内側に刻みが付けられ、液密に導管１６を閉塞するために管状付属物１３と回転式に係合し、その自由端に、管状付属物１３の外側に位置付けられる外側環状フランジであり、管状付属物１３にねじ込まれるリングナット２２によって管状付属物１３の外側自由端と軸方向に接触するように保持される外側環状フランジを有するカップ形状ボディ２１に一体的に取り付けられる。
【００１４】
カップ形状ボディ２１は、スクリュ１９を駆動するためのアクチュエータ（図示せず。）の回転出力部材（図示せず。）にスクリュ１９を接続するための、公知のファストフィット面カップリングを定める。
【００１５】
管状付属物１２の導管１５は、タンク１ａの出口導管を定め、また、管状付属物１２は、タンク１ａとの接続のための結合ボディ２３と供給機ボディ２４とを有する注ぎ口２０のための結合器を定める。供給器ボディ２４は、結合ボディ２３に接続され、また、スクリュ１９が作動させられた場合に空洞１７からの材料を放出するために供給器ボディ２４が導管１５と外部とを接続するところの開放供給位置（図２及び図４）と、供給器ボディ２４が導管１５と外部との接続を遮断するところの閉鎖位置（図１及び図３）との間で、結合ボディ２３に対して可動である。
【００１６】
結合ボディ２３は、内部にねじ山が形成されたリングナット２６を回転可能に且つ軸方向移動可能に支持するスリーブ２５であり、リングナット２６を軸方向で固定するための中間外部フランジ２７を有し、導管１５と回転式に係合する自由端部分を有するスリーブ２５を有し、フランジ２７が、管状付属物１２であり、リングナット２６を管状付属物１２にねじ込むことによってスリーブ２５が軸方向に固定されながら軸１４の周りを回転可能に取り付けられるところの管状付属物１２の自由端と接触するようにする。
【００１７】
導管１５の内側に挿入されるその自由端部分の反対側にある端部において、スリーブ２５は、軸１４に垂直な軸３０を持つ実質的に矩形断面の穴２９を有する環状付属物２８に取り付けられる。
【００１８】
供給器ボディ２４は、管状ボディ３１であり、軸３０と同軸の穴２９を通じて延び、軸１４と同軸で軸３０と交差する湾曲プレート３２によって閉じられる軸方向頂端部を持つ管状ボディ３１を有する。
【００１９】
管状ボディ３１は、管状ボディ３１の軸方向底端部に材料出口開口３３と、プレート３２の近くで、タンク１ａと向き合う側に、管状ボディ３１の側部を貫いて形成される、スリーブ２５の断面とほぼ等しい流断面を持つ注入開口３４とを有する。
【００２０】
穴２９の断面と同じような矩形断面であり、穴２９の断面とほぼ同じサイズであるがそれより大きくはない矩形断面を有することで、管状ボディ３１は、環状付属物２８に対して、また、軸方向にスライド可能で且つ角度的に固定された態様で軸３０に対して、注入開口３４が軸１４と同軸であり導管１５と向き合うところであるその開放供給位置（図２及び図４）に対応する底部位置と、注入開口３４が導管１４に対して上方に動かされ、その結果、管状ボディ３１の側壁によって外部から遮断されるところであるその閉鎖位置（図１及び図３）に対応する頂部位置とに、選択的に可動である。
【００２１】
また、注ぎ口２０は、その開放位置とその閉鎖位置とで、結合ボディ２３に対して供給器ボディ２４を選択的に固定する保持装置３５を有する。保持装置３５は、環状付属物２８によって担持される歯３６と、管状ボディ３１の外面に形成される二つのスロット群である座部３７群であり、歯３６が選択的にカチッと収められる二つのスロット群である座部３７群とを有する。
【００２２】
また、注ぎ口２０は、結合ボディ２３に対する供給器ボディ２４の開放供給位置を正確に定めるための停止装置３８を有する。停止装置３８は、プレート３２の近くに、管状ボディ３１によって担持される二つの突出部３９群であり、管状ボディ３１がその閉鎖位置からその開放供給位置まで下方に押された場合に環状付属物２８と接触する二つの突出部３９群を有する。
【００２３】
図３で示されるように、供給器ボディ２４がその閉鎖位置にある場合、管状ボディ３１の全体は、タンク１ａのカップ形状ベース３の端部４よりも上に、おそらくはその下にある平坦支持部（図示せず。）とは無縁の位置に、位置付けられ、コンテナ１が、必要に応じて、材料漏出のリスクなしに、その平坦支持部（図示せず。）に対して動かされ得るようにする。
【００２４】
別の言い方をすれば、注ぎ口２０において、環状付属物２８及び管状ボディ３１は、イエス／ノーの管状スライドバルブを定め、そこで、管状ボディ３１がその管状バルブを定め、且つ、環状付属物２８がそのスライドを定めるようにし、注ぎ口２０は、タンク１ａからの材料が、軸１４に対する任意の半径方向に向けられるようにするばかりでなく、導管１５からのその材料の流出を制御するためのタップとしての機能も果たす。
【図１】
2011510730.tif 000003
【図２】
2011510730.tif 000004
【図３】
2011510730.tif 000005
【図４】
2011510730.tif 000006
【国際調査報告】
2011510730.tif 000007
2011510730.tif 000008
2011510730.tif 000009